(57)【要約】  複数の検査の医用画像を同時に見やすく表示できるようにする。  本発明に係るパーソナルコンピュータによれば、記録メディアが装着されると、記録メディアに記録された表示制御プログラムを起動し、メディアドライブにより記録メディアに格納されている医用画像データの索引情報及び医用画像データを読み出し、読み出した医用画像データに基づいて、検査単位で医用画像を切り替えて表示するメイン画面を表示部に表示するとともに、操作部の選択操作によりメイン画面において表示対象とする検査を切り替えるための、検査日付が表示された検査毎のタブをメイン画面に表示する。検査毎のタブの何れかが操作部によりドラッグされると、表示部の表示領域内に操作されたタブに対応する検査の医用画像を表示したフローティング状態の別画面を表示する。
2009113429.tif 000002
【特許請求の範囲】
【請求項１】
コンピュータを、
検査情報と対応付けられた医用画像データが記録された記録媒体から医用画像データを読み出す読み出し手段、
前記読み出された医用画像データに基づいて医用画像を検査単位で切り替え表示可能なメイン画面と、操作手段の操作により前記メイン画面において表示対象とする検査を切り替えるために検査毎に設けられ、検査毎の識別情報が表示されたインデックス領域と、を表示する表示手段、
前記操作手段により前記インデックス領域の何れかに対し画像の切り替えのための操作とは異なる所定の操作が行われた際に、前記表示手段の表示領域内に前記メイン画面とは独立した別画面であって前記操作手段の操作に応じて移動及び拡大／縮小が可能な画面を生成し前記所定の操作が行われたインデックス領域に対応する検査の医用画像を前記別画面に表示させる制御手段、
として機能させるためのプログラム。
【請求項２】
前記検査毎のインデックス領域は、タブであり、
前記制御手段は、前記操作手段により前記インデックス領域としてのタブの何れかが所定領域外にドラッグされた際に、前記別画面を生成し前記ドラッグされたタブに対応する検査の医用画像を表示させる請求項１に記載のプログラム。
【請求項３】
前記インデックス領域に表示される検査毎の識別情報は、検査日付である請求項１又は２に記載のプログラム。
【請求項４】
請求項１〜３の何れか一項に記載のプログラムを格納したコンピュータ読取可能な記録媒体。
【発明の詳細な説明】
【技術分野】
【０００１】
本発明は、医用画像の表示のためのプログラム及びそのプログラムを格納したコンピュータ読取可能な記録媒体に関する。
【背景技術】
【０００２】
医療機関では、デジタル化した医用画像を画像保存装置に保存し、この保存された医用画像を画像表示装置に配信して読影に供することが行われている。このような画像提供サービスはＰＡＣＳ（Picture Archiving and Communication System）と呼ばれる画像提供システムにより実現されている。【０００３】
ＰＡＣＳ等においては、画像保存装置に保存されている医用画像についての患者や検査の一覧リストを作成し、このリストから読影対象の検査が選択されると、選択された検査に係る医用画像を表示する構成となっている（例えば、特許文献１参照）。
【特許文献１】特開平１０−２２５４４１号公報
【発明の開示】
【発明が解決しようとする課題】
【０００４】
しかしながら、リストから選択された検査の医用画像を画面上に表示する技術においては、一般的に、１つの画面上に選択された検査の医用画像しか表示できない。そのため、同一患者に対する過去の検査と当日行った検査等、複数の検査の医用画像を観察したい場合には、或る検査を選択して画面上に医用画像を表示した後、リストに戻り、別の検査を選択して医用画像を表示する等の操作により画面上の表示を切り替えなければならず、煩雑であった。また、複数の検査を同時にモニタに表示して観察することができなかった。【０００５】
特許文献１においては、一度に複数の検査をリスト上から選択して読影用の画像表示画面に表示することができるが、選択された画像が所定枚数以上にわたる場合は、スクロールバーをドラッグして画面を横にスライドさせる必要がある。そのため、目的となる検査の医用画像を表示するための操作が煩雑となり、また、比較したい検査の医用画像が同一画面内に表示されない場合があり、複数の医用画像の比較観察がしづらいといった問題があった。また、複数の検査の医用画像を画像サイズを小さくして一画面上に表示することも行われているが、画像を観察しづらいといった問題があった。【０００６】
本発明の課題は、複数の検査の医用画像を同時に見やすく表示できるようにすることである。
【課題を解決するための手段】
【０００７】
上記課題を解決するために、本発明の第１の側面によると、プログラムは、
コンピュータを、
検査情報と対応付けられた医用画像データが記録された記録媒体から医用画像データを読み出す読み出し手段、
前記読み出された医用画像データに基づいて医用画像を検査単位で切り替え表示可能なメイン画面と、操作手段の操作により前記メイン画面において表示対象とする検査を切り替えるために検査毎に設けられ、検査毎の識別情報が表示されたインデックス領域と、を表示する表示手段、
前記操作手段により前記インデックス領域の何れかに対し画像の切り替えのための操作とは異なる所定の操作が行われた際に、前記表示手段の表示領域内に前記メイン画面とは独立した別画面であって前記操作手段の操作に応じて移動及び拡大／縮小が可能な画面を生成し前記所定の操作が行われたインデックス領域に対応する検査の医用画像を前記別画面に表示させる制御手段、
として機能させる。【０００８】
前記検査毎のインデックス領域は、タブであり、
前記制御手段は、前記操作手段により前記インデックス領域としてのタブの何れかが所定領域外にドラッグされた際に、前記別画面を生成し前記ドラッグされたタブに対応する検査の医用画像を表示させることが好ましい。【０００９】
前記インデックス領域に表示される検査毎の識別情報は、検査日付であることが好ましい。【００１０】
本発明の第２の側面によると、コンピュータ読取可能な記録媒体は、
請求項１〜３の何れか一項に記載のプログラムを格納している。
【発明の効果】
【００１１】
本発明によれば、コンピュータを用いて、記録媒体に記録された複数の検査の医用画像を同時に見やすく表示することが可能となる。また、従来のように、検査リスト画面に戻ることなく、表示対象の医用画像を切り替えることが可能となるとともに、ユーザが記録媒体に記録されている医用画像についての全体検査数や個々の検査を大まかに把握することが可能となる。
【図面の簡単な説明】
【００１２】
【図１】本発明の実施の形態におけるパーソナルコンピュータの機能構成例を示す図である。
【図２】本発明の実施の形態における記録メディアのデータ格納例を示す図である。
【図３Ａ】図１の制御部により実行されるビューア機能提供処理を示すフローチャートである。
【図３Ｂ】図１の制御部により実行されるビューア機能提供処理を示すフローチャートである。
【図４】図１の表示部に表示されるメイン画面を示す図である。
【図５】図１の表示部に別画面を表示する際の操作例を示す図である。
【図６Ａ】操作部により閉じるボタンを押下操作して、別画面をメイン画面に結合する例を示す図である。
【図６Ｂ】操作部により別画面をメイン画面のタブ表示領域にドラッグアンドドロップ操作することにより、別画面をメイン画面に結合する例を示す図である。
【発明を実施するための最良の形態】
【００１３】
以下、本発明に係る一実施形態について説明する。
まず、構成を説明する。【００１４】
図１に、パーソナルコンピュータ１の機能構成例を示す。パーソナルコンピュータ１は、医療施設に設置された情報処理装置であり、記録メディアＭが装着されると、記録メディアＭに記録されている表示制御プログラム９５（図２参照）を読み出して起動し、記録メディアＭに記録されている医用画像データに基づき医用画像を表示するビューアとして機能するものである。【００１５】
パーソナルコンピュータ１は、図１に示すように、制御部１１、操作部１２、表示部１３、通信部１４、記憶部１５、メディアドライブ１６等を備えて構成され、各部はバス１７により接続されている。【００１６】
制御部１１は、ＣＰＵ（Central Processing Unit）、ＲＯＭ（Read Only Memory）、ＲＡＭ（Random Access Memory）等により構成される。制御部１１のＣＰＵは、操作部１２の操作に応じて、ＲＯＭに記憶されているシステムプログラムや、ビューア機能提供処理プログラムを始めとする各種処理プログラムを読み出してＲＡＭ内に展開し、展開されたプログラムに従ってパーソナルコンピュータ１各部の動作を集中制御し、後述するビューア機能提供処理プログラムを始めとする各種処理を実行する。【００１７】
操作部１２は、カーソルキー、数字入力キー、及び各種機能キー等を備えたキーボードと、マウス等のポインティングデバイスを備えて構成され、キーボードに対するキー操作やマウス操作により入力された指示信号を制御部１１に出力する。なお、以下の実施形態の説明では、操作部１２としてマウス等のポインティングデバイスが使用されることとする。【００１８】
表示部１３は、ＬＣＤ（Liquid Crystal Display）やＣＲＴ（Cathode Ray Tube）等のモニタにより構成され、制御部１１から入力される表示信号の指示に従って、各種データや画面等を表示する。【００１９】
通信部１４は、ＬＡＮアダプタ、ルータ、ＴＡ（Terminal Adapter）等を備え、ＬＡＮ（Local Area Network）等の通信ネットワークに接続された外部装置とデータの送受信を行う。【００２０】
記憶部１５はハードディスク等の記憶装置で構成され、各種データを記憶する。【００２１】
メディアドライブ１６は、記録メディアＭに対しデータの読み出し又は書き込みを行う装置である。【００２２】
記録メディアＭは、ＣＤ−Ｒ（Compact Disk Recordable）やＤＶＤ−Ｒ（Digital Versatile Disk Recordable）、ＭＯ（Magnet Optical）ディスク等のコンピュータ読取可能な可搬型記録媒体である。記録メディアＭには、医用画像データ及び医用画像データをパーソナルコンピュータ１の表示部１３に表示する際の表示制御プログラム９５（図２参照）が記録されている。記録メディアＭは、医療施設間での医用画像データの移送に用いられる。通常、医療施設で一患者についての一又は複数検査の医用画像データが一の記録メディアＭに記録され、患者自身が紹介先等の他の医療施設に記録メディアＭを持参することによって医用画像データの移送を行う。【００２３】
医用画像データを記録メディアＭに記録する際のデータ構造は、ＩＨＥ（Integrating the Healthcare Enterprise）及びＩＨＥ−ＪのＰＤＩ（Portable Data for Imaging）によって定められ、標準化が図られている。本実施形態において、記録メディアＭには、ＰＤＩにより定められたデータ構造で医用画像データ及び表示制御プログラム９５が記録されている。【００２４】
図２に、記録メディアＭにおけるデータ格納例を示す。図２に示すように、記録メディアＭのルートディレクトリ（ＲＯＯＴ）には、ＤＩＣＯＭＤＩＲファイル９０と、ＤＩＣＯＭディレクトリ９１と、ＯＴＨＥＲファイル９２と、ＯＴＨＥＲディレクトリ９３とが格納されている。【００２５】
ＤＩＣＯＭディレクトリ９１は、ＤＩＣＯＭ規格に則ったファイル形式で医用画像データＤ１〜Ｄｍ（ｍは記録メディアＭに記録された医用画像データ数）を格納するディレクトリであり、ＤＩＣＯＭＤＩＲファイル９０には、ＤＩＣＯＭディレクトリ９１に格納されている医用画像データＤ１〜Ｄｍの索引情報が記録されている。索引情報は、例えば、ＤＩＣＯＭディレクトリ９１に格納されている医用画像データＤ１〜Ｄｍに関する患者情報、検査情報、シリーズ情報、画像ファイルパス（医用画像データＤ１〜Ｄｍの画像ファイルの格納場所）情報等が含まれる。患者情報は、患者ＩＤ、患者氏名、年齢、性別等の、医用画像の被写体となった患者に関する情報である。検査情報は、例えば、検査ＩＤ、検査日、検査部位等の、検査に関する情報である。シリーズ情報は、一つの検査の中で生成されるモダリティ毎の一連の医用画像の単位（シリーズ）を示すシリーズＩＤやモダリティの種別を示す情報等である。ＤＩＣＯＭＤＩＲファイル９０とＤＩＣＯＭディレクトリ９１とを有することがＰＤＩの必須要件となる。【００２６】
ＯＴＨＥＲディレクトリ９３は、アプリケーションプログラム９４やそのアプリケーションプログラム９４の実行に要する設定ファイル９７等を格納するディレクトリである。ＯＴＨＥＲファイル９２には、ＯＴＨＥＲディレクトリ９３の索引情報やアプリケーションプログラム９４の自動起動の初期設定等が記録されている。【００２７】
本実施形態において、記録メディアＭには、アプリケーションプログラム９４として、表示制御プログラム９５が記録されている。表示制御プログラム９５は、パーソナルコンピュータ１に図３Ａ〜図３ＢのステップＳ３〜Ｓ１６の処理を実行させ、パーソナルコンピュータ１を医用画像を表示するビューアとして機能させるためのアプリケーションプログラムである。【００２８】
次に、パーソナルコンピュータ１の動作について説明する。
図３Ａ〜図３Ｂに、パーソナルコンピュータ１の制御部１１により実行されるビューア機能提供処理を示す。【００２９】
まず、パーソナルコンピュータ１のメディアドライブ１６に記録メディアＭが装着されると（ステップＳ１；ＹＥＳ）、メディアドライブ１６により、記録メディアＭから表示制御プログラム９５が読み出され、表示制御プログラム９５が起動される（ステップＳ２）。これ以降の処理は、制御部１１と、記録メディアＭから読み出された表示制御プログラム９５との協働によるソフトウェア処理によって実行される。【００３０】
表示制御プログラム９５が起動されると、メディアドライブ１６を介して、記録メディアＭにおけるＤＩＣＯＭＤＩＲファイル９０の認識処理が行われ、ＤＩＣＯＭＤＩＲファイル９０が認識されなかった場合（ステップＳ３；ＮＯ）、表示部１３にエラーメッセージが表示され（ステップＳ４）、本処理は終了する。【００３１】
記録メディアＭにおいてＤＩＣＯＭＤＩＲファイル９０が認識された場合（ステップＳ３；ＹＥＳ）、メディアドライブ１６によりＤＩＣＯＭＤＩＲファイル９０が読み出され、ＤＩＣＯＭＤＩＲファイル９０に格納されている索引情報、即ち、各医用画像データＤ１〜Ｄｍに関する患者情報、検査情報、シリーズ情報、画像ファイルパス情報等が取得されるとともに、読み出された索引情報に基づいてＤＩＣＯＭディレクトリ９１から予め定められた検査（ここでは、検査日付が最新の検査）の医用画像データが読み出される（ステップＳ５）。そして、読み出された索引情報に基づいて、検査毎のタブが作成され、表示部１３に検査毎のタブが表示されたメイン画面１３１が表示される（ステップＳ６）。【００３２】
図４に、ステップＳ６において表示部１３に表示されるメイン画面１３１の一例を示す。メイン画面１３１は、記録メディアＭに記録された医用画像を１画面（１ウィンドウ）内に検査単位で切り替えて表示する画面である。図４に示すように、メイン画面１３１には、検査毎のタブＴｂ１〜Ｔｂｎ（ｎは検査数）と、画像表示欄１３１ａと、タブ表示領域１３１ｂと、患者情報表示欄１３１ｃと、閉じるボタン１３１ｄと、が設けられている。【００３３】
検査毎のタブＴｂ１〜Ｔｂｎは、メイン画面１３１において操作部１２の選択操作により表示対象とする検査を切り替えるために検査毎に設けられたインデックス領域である。
検査毎のタブＴｂ１〜Ｔｂｎには、各検査を識別するための識別情報（インデックス情報）、例えば、検査日付、検査日付及びモダリティ種等が表示されている。タブＴｂ１〜Ｔｂｎは、予め定められた順序、例えば、検査日付順でタブ表示領域１３１ｂに表示されている。
操作部１２によりタブが選択操作（例えば、クリック）されると、選択されたタブに対応する検査の医用画像がメイン画面１３１の画像表示欄１３１ａに切り替え表示される。【００３４】
画像表示欄１３１ａには、検査日付が最新の検査についての医用画像が初期表示されている。
患者情報表示欄１３１ｃには、メイン画面１３１における医用画像の表示対象となっている患者の患者情報が表示されている。
閉じるボタン１３１ｄは、操作部１２の操作によりメイン画面１３１を閉じる指示を入力するためのボタンである。【００３５】
また、図５に示すように、操作部１２によりタブＴｂ１〜Ｔｂｎの何れかに所定の画面分離指示操作（例えば、本実施の形態においてはタブ表示領域１３１ｂ外へドラッグ操作とする）がなされると、表示部１３の表示領域Ａ内に、フローティング状態の、メイン画面１３１とは独立した（即ち、別ウィンドウの）別画面１３２が生成され、ドラッグされたタブに対応する検査の医用画像が表示される。フローティング状態とは、操作部１２による表示変更指示操作（例えば、画面の移動を指示するための別画面１３２のドラッグ操作、画面サイズの拡大を指示するための拡大ボタン１３２ｂの押下操作、画面サイズの縮小を指示するための縮小ボタン１３２ａの押下操作等）に応じて別画面１３２を表示部１３の表示領域Ａ内で移動させたり、画面サイズを拡大させたり縮小させたりすることが可能な状態をいう。【００３６】
なお、別画面１３２は、複数のタブがタブ表示領域１３１ｂ外へドラッグ操作されることによって、検査毎に複数表示することも可能である。別画面１３２は、ドラッグ操作されたタブに表示されていた識別情報を表示する識別情報表示欄１３２ｄを有しており、操作者が何れの検査の医用画像が表示されているかを認識できるようになっている。【００３７】
表示された別画面１３２は、例えば、図６Ａに示すように操作部１２により閉じるボタン１３２ｃを押下操作する、或いは、図６Ｂに示すように操作部１２により別画面１３２をメイン画面１３１のタブ表示領域１３１ｂにドラッグアンドドロップ操作する等の、メイン画面１３１への結合指示操作をすることで、もとのメイン画面１３１と結合することができる。操作部１２により閉じるボタン１３２ｃが押下操作された場合、別画面１３２の表示対象となっていた検査のタブは、もとの位置（検査日付順の位置）に表示される。操作部１２により別画面１３２をドラッグアンドドロップ操作された場合、別画面１３２の表示対象となっていた検査のタブは、もとの位置（検査日付順の位置）、或るいはドロップされた位置に表示される。【００３８】
メイン画面１３１において、操作部１２によりタブＴｂ１〜Ｔｂｎの何れかが選択操作されると（ステップＳ７；ＹＥＳ）、選択操作されたタブに対応する検査の医用画像データがメディアドライブ１６により読み出され、メイン画面１３１に、選択されたタブに対応する検査の医用画像が切り替え表示される（ステップＳ８）。【００３９】
メイン画面１３１において、操作部１２によりタブＴｂ１〜Ｔｂｎの何れかがタブ表示領域１３１ｂ外にドラッグ操作されると（ステップＳ９；ＹＥＳ）、表示部１３の表示領域Ａ内に、フローティング状態のメイン画面１３１とは独立した別画面１３２が生成され、ドラッグされたタブに対応する検査の医用画像データがメディアドライブ１６により読み出され、読み出された医用画像データに基づく医用画像が別画面１３２に表示される（ステップＳ１０）。【００４０】
別画面１３２において、操作部１２により表示変更指示操作がなされると（ステップＳ１１；ＹＥＳ）、操作部１２の操作に応じて、別画面１３２が移動、拡大又は縮小される（ステップＳ１２）。【００４１】
別画面１３２において、操作部１２によりメイン画面１３１への結合指示操作がなされると（ステップＳ１３；ＹＥＳ）、操作された別画面１３２が閉じられる（ステップＳ１４）。また、別画面１３２に表示されていた検査のタブがメイン画面１３１のタブ表示領域１３１ｂに生成されるとともに、別画面１３２に表示されていた検査の医用画像が画像表示欄１３１ａに表示される（ステップＳ１５）。【００４２】
操作部１２により、メイン画面１３１を閉じる指示が入力されるまで、ステップＳ７〜Ｓ１５の処理が繰り返し実行され、メイン画面１３１を閉じる指示が入力されると（ステップＳ１６；ＹＥＳ）、本処理は終了する。【００４３】
以上説明したように、パーソナルコンピュータ１は、記録メディアＭが装着されると、記録メディアＭに記録された表示制御プログラム９５を起動し、メディアドライブ１６により記録メディアＭに格納されている医用画像データＤ１〜Ｄｍの索引情報及び医用画像データを読み出し、読み出した医用画像データに基づいて、１画面（１ウィンドウ）内に検査単位で医用画像を切り替えて表示するメイン画面１３１を表示部１３に表示するとともに、操作部１２の選択操作によりメイン画面１３１において表示対象とする検査を切り替えるための検査日付が表示されたタブＴｂ１〜Ｔｂｎをメイン画面１３１に表示する。タブＴｂ１〜Ｔｂｎの何れかがドラッグされると、表示部１３の表示領域Ａ内に操作されたタブに対応する検査の医用画像を表示したフローティング状態の別画面１３２を表示する。【００４４】
従って、操作部１２の選択操作によりメイン画面１３１において表示対象とする検査を切り替えるための検査日付が表示されたタブＴｂ１〜Ｔｂｎをメイン画面１３１に表示するので、表示対象の検査を選択するための検査リスト画面に戻らなくても医用画像の表示対象となる検査を切り替えることが可能となる。また、記録メディアＭに記録された医用画像データの全体検査数や各検査の検査日付等を画面を切り替えることなく医師が容易に把握することが可能となる。【００４５】
ＰＡＣＳの場合、膨大な数の検査の医用画像データが存在するので、検査リスト画面と画像を表示する画面を切り替える操作は必須となるが、記録メディアＭに記録される医用画像データは、上述のように同一患者のものであることが多く数が限られているので、医用画像の表示対象となる検査を切り替えるための検査毎のタブを医用画像を表示する画面上に表示することは特に有効である。【００４６】
また、タブＴｂ１〜Ｔｂｎの何れかが操作部１２によりドラッグ操作されると、表示部１３の表示領域Ａ内に操作されたタブに対応する検査の医用画像を表示したフローティング状態の別画面１３２を表示するので、医師が２以上の検査の医用画像を表示部１３の表示領域内に同時に表示して、表示した検査の医用画像を自由に拡大／縮小させたり、所望の位置に移動させて表示させたりすることが可能となり、複数検査の医用画像を見やすく表示することが可能となる。【００４７】
なお、上記実施形態における記述内容は、本発明の好適な一例であり、これに限定されるものではない。
例えば、上記実施形態においては、メイン画面１３１において操作部１２の操作により表示対象とする検査を切り替えるために検査毎に設けられたインデックス領域をタブとしたが、これに限定されず、例えば、検査の識別情報が表示された操作ボタンとしてもよい。【００４８】
その他、パーソナルコンピュータ１の細部構成及び細部動作、記録メディアＭに記録されたデータの細部構成等に関しても、発明の趣旨を逸脱することのない範囲で適宜変更可能である。【００４９】
なお、明細書、請求の範囲、図面及び要約を含む２００８年３月１４日に出願された日本特許出願Ｎｏ．２００８−０６５９５２号の全ての開示は、そのまま本出願の一部に組み込まれる。
【産業上の利用可能性】
【００５０】
医療の分野において、パーソナルコンピュータ等を医師による診断のために医用画像を表示する装置として機能させるものとして利用可能性がある。
【符号の説明】
【００５１】
１  パーソナルコンピュータ
１１  制御部
１２  操作部
１３  表示部
１４  通信部
１５  記憶部
１６  メディアドライブ
１７  バス
Ｍ  記録メディア
【図１】
2009113429.tif 000003
【図２】
2009113429.tif 000004
【図３Ａ】
2009113429.tif 000005
【図３Ｂ】
2009113429.tif 000006
【図４】
2009113429.tif 000007
【図５】
2009113429.tif 000008
【図６Ａ】
2009113429.tif 000009
【図６Ｂ】
2009113429.tif 000010
【国際調査報告】
2009113429.tif 000011
2009113429.tif 000012